(57)【要約】【課題】使用者が車椅子に座ったままで進入して容易に園芸ができ、車椅子を横方向ヘスムーズに方向転換することができるとともに、構造が簡易、且つ、軽量で製造が容易な簡易型レイズドベッドを提供する。【解決手段】薄肉で高さの低いプラスチック製プランター１と、金属パイプ製で水平方向に配置された支持部１３とその後側に配置された支柱部１５とその下端に水平方向に配置された脚部１７とで片持ち状に保持するプランター支持体１１と、を具備する。これにより、プランター１の下部に車椅子に座った人間が進入できるスペースを確保するとともにプランター１上面の高さを車椅子に座った人間が作業できる高さに設定でき、且つ、車椅子が進入した位置から横方向ヘスムーズに方向転換させることができる。【選択図】図３
0003111336.tif 000002
【実用新案登録請求の範囲】
【請求項１】
薄肉で高さの低いプラスチック製プランターと、金属パイプ製で水平方向に配置された支持部とその後側に配置された支柱部とその下端に水平方向に配置された脚部とで片持ち状に保持するプランター支持体と、を具備したことを特徴とする簡易型レイズドベッド。
【請求項２】
上記プランターは上面中央部を凹陥させた凹部と、その両側に前側に張り出した手置き部とを設けたものであることを特徴とする請求項１記載の簡易型レイズドベッド。
【請求項３】
上記支持部は水平方向に延長された支持パイプを備え、プランターの底部に支持パイプに対応するハーフパイプ状の凹陥部を形成し、これを支持パイプにはめ込むことによりプランターをプランター支持体に支持・固定するようにしたことを特徴とする請求項１又は２記載の簡易型レイズドベッド。
【考案の詳細な説明】
【技術分野】
【０００１】
本考案は簡易型レイズドベッドに係り、特に、使用者が車椅子に座ったまま又は立ったままで容易にアクセスして園芸作業ができ、構造が簡易で製造が容易なものに関する。
【背景技術】
【０００２】
レイズドベッドとは立ち上げ花壇であり、高齢者や身体障害者が車椅子に座りながら又は立ったままで園芸ができる設備である。従来のレイズドベッドは、コンクリート製であり、地表から立ち上げた部分とその上部に設けた花壇部とからなるものであるが、各部の厚みが１０ｃｍ以上あるのが通常である。また、花壇部分に支脚部分をボルト等で連結して組み合わせた車椅子利用者用花壇（例えば、特許文献１参照。）や、花壇部分と支脚部分とを一体成形した車椅子利用者用花壇もある（例えば、特許文献２参照。）。
【０００３】
【特許文献１】特開２００３−２３８７０号公報
【特許文献２】特開平１１−１１３４０３号公報
【考案の開示】
【考案が解決しようとする課題】
【０００４】
従来のレイズドベッドは、コンクリート製であり、厚みが１０ｃｍ以上あるので、車椅子に座った使用者の足が入り、且つ、コンクリートの厚みや土の厚みを入れると、上面が高くなり使用者が作業しづらいという欠点があった。また、固定式で重量が大きく移動が困難であり、花壇部分の取り外しもできないため、花壇部分を取り外して別の場所で土の入れ換えや園芸作業をすることもできないものである。また、花壇部分に支脚部分を組み合わせた花壇の場合には、移動は可能であるが、重量が大きく花壇部分の取り外しができないため、上記と同様の問題がある。また、構造が複雑で簡易で安価に提供できるものではないという問題がある。また、花壇部分と支脚部分とを一体成形した花壇の場合には、設備として大型となり、固定式で重量が大きく移動が困難であり、花壇部分の取り外しもできないため、上記と同様の問題がある。また、製造も面倒で簡易で安価に提供できるものではないという問題がある。
【０００５】
本考案はこのような点に基づいてなされたものでその目的とするところは、使用者が車椅子に座ったままで進入し、又は、使用者が立ったままでアクセスして容易に園芸作業ができ、車椅子の場合は、フットレストが邪魔になることなく横方向ヘスムーズに方向転換することができるとともに、構造が簡易で製造が容易な簡易型レイズドベッドを提供することにある。
【課題を解決するための手段】
【０００６】
上記目的を達成するべく本考案による簡易型レイズドベッドは、薄肉で高さの低いプラスチック製プランターと、金属パイプ製で水平方向に配置された支持部とその後側に配置された支柱部とその下端に水平方向に配置された脚部とで片持ち状に保持するプランター支持体と、を具備したことを特徴とするものである。
【０００７】
また、プランターは上面中央部を凹陥させた凹部と、その両側に前側に張り出した手置き部とを設けたものとすることが考えられる。また、支持部は水平方向に延長された支持パイプを備え、プランターの底部に支持パイプに対応するハーフパイプ状の凹陥部を形成し、これを支持パイプにはめ込むことによりプランターをプランター支持体に支持・固定するようにしたものとすることが考えられる。
【考案の効果】
【０００８】
本考案の簡易型レイズドベッドによると、プランターの下部に車椅子に座った人間が進入できるスペースを確保するとともにプランター上面の高さを車椅子に座った人間が作業できる高さに設定できる。したがって、使用者は車椅子に座ったままで又はしゃがまなくても立ったままで楽に園芸作業ができる。また、プランター支持体はプランターを片持ち状に保持するようにしたから、車椅子が進入した位置から横方向ヘスムーズに方向転換させることができ、レイズドベッドへのアクセスが容易となる。また、薄肉で高さの低いプラスチック製プランターと金属パイプ製で簡易な構造のプランター支持体とを組み合わせた構造としたので、移動が可能であり、軽量でベランダや屋上等に設置しても建物に負荷をかけないようにすることができるし、プランターをプランター支持体から取り外し可能であるから、花壇部分を取り外して別の場所で土の入れ換えや園芸作業をすることができる。また、構造的に簡易で製造も容易であり、安価に提供することができる。
【考案を実施するための最良の形態】
【０００９】
以下、図１乃至図９を参照して本考案の第１の実施の形態を説明する。まず、プランター１があり、このプランター１はプラスチック製で一体成形で作られている。その構造はまず、平面略矩形状の容器部３があり、この上部に外周側へフランジ状に天板部５が形成されている。全体は薄肉厚であり、高さを可及的に低く形成している。これは、プランター１の下部に車椅子に座った人間が進入できるスペースを確保しつつプランター１上面の高さを車椅子に座った人間が作業できる高さとするためである。また、全体が丸みを持った形状であり、安全面に配慮した構成としている。
【００１０】
上記天板部５は、上面中央部を凹陥させた凹部５Ａと、その両側に前側に張り出した手置き部５Ｂとを設けている。これは、車椅子などがアクセスする時にプランター１に体を引き寄せることができるとともに、両側に肘をおいて楽に作業ができるようにするためである。また、容器部３の底部には排水口７を設けてここに排水パイプ９を接続している。排水パイプ９は下方に延長配置され、プランター１内の余分な水を排出して、水のやりすぎ等による根腐れ等を防止している。
【００１１】
尚、プランター１は、プラスチック製（例えば、ポリプロピレン）であり、軽量で、且つ、耐久性、クッション性に優れている。また、プランター１は高さを可及的に低く形成した結果、容器部３が浅底になっているが、ここには園芸用に開発された各種の土（例えば、泥炭腐植土）を使用することにより、植物を植栽して育成させることができるものである。
【００１２】
また、上記プランター１を地表より立ち上げた位置で保持・固定する手段としてプランター支持体１１がある。このものは、金属パイプ製（例えばスチールパイプ製）であり、水平方向に配置された支持部１３とその後側に配置された支柱部１５とその下端に水平方向に配置された脚部１７とで構成されている。
【００１３】
支持部１３は一対の略コ字状パイプ材を開口側を前側にして両側に所定の間隔で配置し、その上部水平部分１３Ａに２箇所の支持パイプ１３Ｂを架設している。上記上部水平部分１３Ａには両側に半円形の取手部１３Ｃを設けており、これを手で持って移動できるようになっている。
【００１４】
また、支柱部１５は最後部に位置する一対の略コ字状パイプ材の略垂直部分１５Ａと、その直近の前側部分に一対の略コ字状パイプ材の上部水平部分１３Ａと下部水平部分１７Ａとの間に架設した垂直パイプ材１５Ｂとで構成されている。また、一対の略コ字状パイプ材の垂直部分１５Ａには横方向にターンバックル１５Ｃが架設され両略コ字状パイプ材を緊締して保持している。尚、上記垂直パイプ材の一方には排水パイプ９の下部がバンドＢにより取り付けられている。
【００１５】
また、脚部１７は一対の略コ字状パイプ材の下部水平部分１７Ａで構成され、上記垂直パイプ部１５Ｂに対応した後側の位置に横パイプ材１７Ｂを架設している。尚、略コ字状パイプ材の下部水平部分１７Ａには高さを微調節可能な接地盤Ｓを４箇所取り付けている。
【００１６】
また、プランター１の底部に上記支持パイプ１３Ｂに対応するハーフパイプ状の凹陥部１Ａを形成し、この凹陥部１Ａには係止用の爪１Ｂを複数箇所設けている。凹陥部１Ａを支持パイプ１３Ｂにはめ込み、係止用の爪１Ｂで保持させることにより、プランター１をプランター支持体１１に支持・固定するようにしている。このような構成とすることにより、プランター１をプランター支持体１１に強固に固定でき、しかも、取り付け・取り外しが容易にできる構成となっている。もっとも、必ずしもこの支持構造を採る必要はないものであり、例えば、単にハーフパイプ状の凹陥部１Ａを支持パイプ１３Ｂにはめ込むだけで支持するようにしても良いし、プランター１を支持パイプ１３Ｂと両側の半円形の取手部１３Ｃによって構成される保持空間にはめ込むことにより支持させるようにしても良い。
【００１７】
上記プランター支持体１１は、脚部１７から支持部１３までの高さが概ね５９０ｍｍであり、これに高さの低いプランター１を載せて保持・固定した場合、その上面までの高さは概ね７５０ｍｍである。また、プランター支持体１１の両側は前側に支脚等がなく開放された状態となっている。
【００１８】
以上の構成を基にその作用を説明する。上記簡易型レイズドベッドを使用する場合には、まず、支持部１３の支持パイプ１３Ｂにプランター底部のハーフパイプ状の凹陥部１Ａをはめ込むことによりプランター１をプランター支持体１１に強固に支持・固定する。そして、プランター１内に園芸用の土を入れる。
【００１９】
そして、高齢者や身体障害者が車椅子に座った状態でアクセスして園芸作業を行う。その際、図１０に示すように、プランター支持体１１は、脚部から支持部までの高さが概ね５９０ｍｍであり、これに高さの低いプランター１を載せて保持・固定した場合、その上面までの高さは概ね７５０ｍｍに設定されている。したがって、プランター１の下部に車椅子に座った状態で人間が進入できるスペースが確保されているから、プランター１への接近が容易にでき、園芸作業を容易にできる。勿論、立ったままで園芸作業をすることも容易にできる。また、プランター１における天板部５の上面中央部を凹陥させた凹部５Ａと、その両側に前側に張り出した手置き部５Ｂとを設けた場合には、図１１に示すように、車椅子などがアクセスする時にプランター１に体を引き寄せることができるとともに、両側に肘をおくことができ、楽に作業ができる。
【００２０】
また、プランター支持体１１は、プランター１を片持ち状に保持するようにしてプランター支持体１１の両側は前側に支脚等をなくして開放した状態としたから、図１１に示すように、車椅子が進入した位置から、フットレストが邪魔になることなく、横方向ヘスムーズに方向転換させることができ、プランター１からの離反も容易にできる。
【００２１】
以上本実施の形態によると次のような効果を奏することができる。先ず、プランター１の下部に車椅子に座った人間が進入できるスペースを確保するとともにプランター１上面の高さを車椅子に座った人間が作業できる高さに設定できる。これは、薄肉で高さの低いプラスチック製プランター１と、金属パイプ製で水平方向に配置された支持部とその後側に配置された支柱部とその下端に水平方向に配置された脚部とで片持ち状に保持するプランター支持体１１とを組み合わせることにより実現できたものである。これにより、使用者はプランター１への接近が容易にできるとともに、車椅子に座ったままで又はしゃがまなくても立ったままで楽に園芸作業ができる。
【００２２】
また、プランター支持体はプランターを片持ち状に保持するようにしたから、フットレストの邪魔になることがなく、車椅子が進入した位置から横方向ヘスムーズに方向転換させることができ、プランター１からの離反が容易にできる。また、薄肉で高さの低いプラスチック製プランターと金属パイプ製で簡易な構造のプランター支持体とを組み合わせた構造としたので、移動が容易であり、屋内、屋外，屋上等任意の場所に移動して使用できる。また、軽量であるからベランダや屋上等に設置しても負荷をかけないようにすることができ、設置建築物の床や構造自体に負担を与えない。また、プランターをプランター支持体から取り外し可能であるから、花壇部分を取り外して別の場所で土の入れ換えや園芸作業をすることができる。また、構造的に簡易で製造も容易であり、安価に提供することができる。
【００２３】
以上は、本考案の１つの実施の形態を紹介したものであり、この実施の形態に限定されず本考案要旨内での設計変更が可能である。例えば、図１０に示すように、脚部１７において、略コ字状パイプ材の下部水平部分１７Ａに、接地盤Ｓに代えて、キャスターＣを設けても良い。この場合には、レイズドベッドを持ち上げることはなく容易に移動させることができる。その他の構成は上記第１の実施の形態と同様でありその説明は省略するが、上記と同様の作用効果を奏するものである。また、プランター１のプラスチック素材はポリプロピレンに限られず任意であり、金属パイプもスチール製に限られずアルミニウム製とする等任意である。
【図面の簡単な説明】
【００２４】
【図１】本考案の実施の形態を示す図で簡易型レイズドベッドの斜視図である。
【図２】本考案の実施の形態を示す図で簡易型レイズドベッドの平面図である。
【図３】本考案の実施の形態を示す図で簡易型レイズドベッドの底面図である。
【図４】本考案の実施の形態を示す図で簡易型レイズドベッドの正面図である。
【図５】本考案の実施の形態を示す図で簡易型レイズドベッドの背面図である。
【図６】本考案の実施の形態を示す図で簡易型レイズドベッドの左側面図である。
【図７】本考案の実施の形態を示す図で簡易型レイズドベッドの右側面図である。
【図８】本考案の実施の形態を示す図でプランターをプランター支持部に取り付け状態を示す正面図である。
【図９】本考案の実施の形態を示す図でプランターをプランター支持部に取り付け状態を示す右側面図である。
【図１０】本考案の実施の形態を示す図で簡易型レイズドベッドへのアクセスの状態を示す左側面図である。
【図１１】本考案の実施の形態を示す図で簡易型レイズドベッドへのアクセスの状態を示す平面面図である。
【図１２】本考案の他の実施の形態を示す図で簡易型レイズドベッドの斜視図である。
【符号の説明】
【００２５】
１    プランター
３    容器部
５    天板部
１１  プランター支持体
１３  支持部
１５  支柱部
１７  脚部
【図１】
0003111336.tif 000003
【図２】
0003111336.tif 000004
【図３】
0003111336.tif 000005
【図４】
0003111336.tif 000006
【図５】
0003111336.tif 000007
【図６】
0003111336.tif 000008
【図７】
0003111336.tif 000009
【図８】
0003111336.tif 000010
【図９】
0003111336.tif 000011
【図１０】
0003111336.tif 000012
【図１１】
0003111336.tif 000013
【図１２】
0003111336.tif 000014